(57)【要約】【課題】浮上面が損傷することを防止することができるとともに、たとえ浮上面が損傷を受けた場合にでも再利用できる浮上型光学ヘッドを提供する。【解決手段】光ディスクに集光する対物レンズ４を有している浮上型光学ヘッド１において、光記録媒体と対向する対向面に、剥離可能なコート層７を備えている。これにより、たとえ浮上型光学ヘッド１の浮上面に傷が入った場合でも、コート層７を剥離し、再度形成することにより、繰り返し浮上型光学ヘッドを使用することができる。【選択図】  図１
2004280952.tif 000002
【特許請求の範囲】
【請求項１】
光記録媒体に光を集光する対物レンズを有している浮上型光学ヘッドにおいて、光記録媒体と対向する対向面に、剥離可能なコート層を備えていることを特徴とする浮上型光学ヘッド。
【請求項２】
上記コート層は、アクリル系ＵＶ硬化樹脂からなることを特徴とする請求項１に記載の浮上型光学ヘッド。
【請求項３】
上記コート層上に、第１保護層を有することを特徴とする請求項１または２に記載の浮上型光学ヘッド。
【請求項４】
コート層と、上記対向面との間に第１保護層を備えていることを特徴とする請求項１または２に記載の浮上型光学ヘッド。
【請求項５】
上記第１保護層の膜厚は、１ｎｍ以上、６ｎｍ以下であることを特徴とする請求項３または４に記載の浮上型光学ヘッド。
【請求項６】
上記対向面と、コート層との間に第２保護層を備えていることを特徴とする請求項３に記載の浮上型光学ヘッド。
【請求項７】
上記保護層と第２保護層とを合わせた膜厚は、１ｎｍ以上、６ｎｍ以下であることを特徴とする請求項６に記載の浮上型光学ヘッド。
【請求項８】
請求項１ないし７のいずれか１項に記載の浮上型光学ヘッドを備えていることを特徴とする光記録再生装置。
【発明の詳細な説明】
【０００１】
【発明の属する技術分野】
本発明は、少なくとも光ディスク等の光記録媒体に集光する対物レンズを有している浮上型光学ヘッドおよびそれを用いた情報の再生、記録および消去のうち、少なくとも１つの動作を行う光記録再生装置に関するものである。
【０００２】
【従来の技術】
現在、レーザ光を用いて情報の再生および／または記録・消去を行うことができる記録媒体としての光ディスクが、民生用やデータのバックアップ用に市販され普及している。これら光ディスクには、例えば、書き換え型、ライトワンス型および再生専用型等がある。
【０００３】
一方、これらの光ディスクに対する容量の大容量化への要望が大きく、より大容量の光ディスクの研究開発が行われ、鋭意実用化が目指されている。
【０００４】
光ディスクの容量を大容量化するためには、光ディスクへのデータの記録密度を高密度化することが考えられる。また、この高密度化への対応としては、光ビームのスポット径を小さくし、より小さな記録ビットを記録、再生する手法が考えられる。
【０００５】
光ディスクに照射される光ビームのスポット径は、その光の波長をλ、集光に用いる対物レンズの開口数をＮＡとすると、λ／ＮＡに比例する。したがって、光の短波長化、対物レンズの高ＮＡ化を図ることによって光ビームのスポット径の小径化が可能になる。
【０００６】
ここで、対物レンズを高ＮＡ化すると、対物レンズの焦点深度が浅くなる。そのため、光ディスクのチルト（傾き）の影響が大きくなる点を考慮して、従来のように基板側から光を入射させるのではなく、基板上に積層した情報膜等の表面側（以下、膜面側と呼ぶ）から光を入射させることが必要となってくる。
【０００７】
このように、光ディスクの膜面側から光を入射させるためには、対物レンズを浮上スライダ上に設けた浮上型光学ヘッドを用いることが提案されている。浮上型光学ヘッドを用いると、光ディスクにおける浮上型光学ヘッドとの対向部分の線速を一定に保つことにより、浮上スライダまたは対物レンズと光ディスクとの間隔、すなわち浮上量を一定に保つことができる。したがって、上記間隔を所定値に調整することで、焦点を合わせることができるようになる。
【０００８】
ここで、図５に基づいて、上記浮上型光学ヘッドについてより具体的に説明する。同図では、浮上型光学ヘッド１０１は、光ディスク１０２の情報を再生および／または記録・消去するようになっている。浮上型光学ヘッド１０１は、サスペンション１０３に対物レンズ１０４を設けたスライダ１０５が取り付けられた構成になっている。光ディスク１０２は、少なくとも基板上に情報の再生および／または記録・消去を担う情報層を備えている。図示していないが、光ビーム１０６は半導体レーザから出射され、ビーム形成後、浮上型光学ヘッド１０１上の対物レンズ１０４にて光ディスク１０２上に集光される。そして、光ディスク１０２から反射された光ビームが、同じ行程を反対に戻り、再生信号検出系（図示せず）にて信号検出され、情報が読み出される。
【０００９】
【特許文献１】
特開２０００−２５１３４０号（公開日：２０００年９月１４日）
【００１０】
【発明が解決しようとする課題】
ところが、このように浮上型光学ヘッドを用いた場合、浮上型光学ヘッドと光ディスクとの間隔は、数μｍ以下となるため、何らかの外因により浮上型光学ヘッドと光ディスクが衝突し、光ディスクを傷つけたり浮上型光学ヘッドを破損したりする可能性が有る。例えば光ディスクが損傷した場合には、傷が光ディスクの情報層にまで到達すると、傷ついた部分の情報が破壊される可能性が有る。このため、光ディスクには、光ディスクの最表面側に摩擦係数の小さい潤滑層を設け、浮上型光学ヘッドの衝突時の衝撃を保護もしくは軽減することが検討されている。
【００１１】
しかしながら、同様に浮上型光学ヘッドの浮上面に傷がついた場合には、傷によって浮上型光学ヘッドの浮上特性が変わって浮上が不安定になり、光ディスクへ集光することが出来なくなる可能性がある。これにより、上記浮上型光学ヘッドによる光ディスクの情報の再生や記録を行うことが不可能になるという問題がある。
【００１２】
本発明は、上記の問題点に鑑みなされたものであり、その目的は、浮上面が損傷することを防止することができるとともに、たとえ浮上面が損傷を受けた場合にでも再利用できる浮上型光学ヘッドを提供することにある。
【００１３】
【課題を解決するための手段】
本発明の浮上型光学ヘッドは、上記課題を解決するために、光記録媒体に光を集光する対物レンズを有している浮上型光学ヘッドにおいて、光記録媒体と対向する対向面に、剥離可能なコート層を備えていることを特徴としている。
【００１４】
上記の構成によれば、上記コート層により、光記録媒体との接触による浮上型光学ヘッドの損傷を防止することができる。また、上記光記録媒体と、浮上型光学ヘッドとが接触によりコート層に傷がついたとしても、浮上型光学ヘッドにおける光路となる部分の損傷を防止することができる。そのため、上記コート層を剥がすことより、上記傷による浮上型光学ヘッドの浮上特性を改善することができ、上記浮上型光学ヘッドを再利用することができる。
【００１５】
また、上記コート層は、アクリル系ＵＶ硬化樹脂からなることが好ましい。上記の構成によれば、コート層をアルコール等の溶媒によって容易に剥離することができる。そのため、複雑な装置を必要とせず簡単に剥離することが出来る。さらに、上記コート層を剥離した場合には、再び容易にコート層を形成することができる。これにより、浮上型光学ヘッドの表面における光路の部分の傷をなくすことができ、浮上特性を改善することができる。したがって、上記浮上型光学ヘッドを繰り返し再利用することができる。
【００１６】
さらに、本発明の浮上型光学ヘッドは、上記の構成に加えて、上記コート層上に、第１保護層を有することが好ましい。
【００１７】
上記の構成によれば、コート層上に第１保護層を有することにより、より一層浮上型光学ヘッドにおける光路の部分の損傷を防止することができる。また、コート層を剥離するのと同時に第１保護層も同時に剥離することができ、再びコート層および第１保護層を形成することにより、上記浮上型光学ヘッドを繰り返し再利用することができる。
【００１８】
また、コート層と、対向面との間に第１保護層を備えていることが好ましい。
【００１９】
上記の構成によれば、第１保護層を有することにより、より一層浮上型光学ヘッドにおける光路の部分の損傷を防止することができる。また、第１保護層を浮上型光学ヘッドから剥離されない材質で形成することにより、コート層のみを剥離して、第１保護層を浮上型光学ヘッドの光記録媒体との対向する面に残すことができる。この第１保護層によりコート層の剥離作業中および剥離後に浮上型光学ヘッドの光路部分が剥き出しならないので、浮上型光学ヘッドの光路部分を保護することができる。さらに、光記録媒体の損傷も防止することができる。さらに、コート層を剥離した場合には、再びコート層を形成することにより、浮上特性が改善され、損傷を防止することができる浮上型光学ヘッドとして繰り返し再利用することができる。
【００２０】
また、上記第１保護層の膜厚は、１ｎｍ以上、６ｎｍ以下であることが好ましい。上記の膜厚にすることにより、浮上型光学ヘッドの光記録媒体への集光特性へ影響しないようにすることができる。つまり、光を光記録媒体に正確に集光することができる。
【００２１】
さらに、本発明の浮上型光学ヘッドは、上記対向面と、コート層との間に第２保護層を備えていることが好ましい。
【００２２】
上記の構成によれば、第２保護層を有することにより、より一層浮上型光学ヘッドにおける光路の部分の損傷を防止することができる。また、第２保護層を浮上型光学ヘッドから剥離されない材質で形成することにより、コート層および第１保護層のみを剥離して、第２保護層を浮上型光学ヘッドの光記録媒体との対向する面に残すことができる。この第２保護層によりコート層および第１保護層の剥離作業中および剥離後に浮上型光学ヘッドの光路部分が剥き出しならないので、浮上型光学ヘッドの光路部分を保護することができる。さらに、光記録媒体の損傷も防止することができる。さらに、コート層および第１保護層を剥離した場合には、再びコート層および第１保護層を形成することにより、浮上特性が改善され、損傷を防止することができる浮上型光学ヘッドとして繰り返し再利用することができる。
【００２３】
また、上記第１保護層と第２保護層とを合わせた膜厚は、１ｎｍ以上、６ｎｍ以下であることが好ましい。上記の膜厚にすることにより、浮上型光学ヘッドの光記録媒体への集光特性へ影響しないようにすることができる。
【００２４】
本発明の光記録再生装置は、上記の浮上型光学ヘッドを備えていることを特徴としている。上記の構成によれば、浮上型光学ヘッドを繰り返し使用することができるため、長時間使用可能な光記録再生装置を提供することができる。
【００２５】
【発明の実施の形態】
〔実施の形態１〕
本発明に係る浮上型光学ヘッドを用いた光ディスク装置（光記録再生装置）の実施の一形態について図１および図２に基づいて説明すれば、以下の通りである。
【００２６】
図２は、光ディスク（光記録媒体）における膜面側から光を入射することにより、光ディスクを再生および／または記録・消去を行う光ディスク装置の模式図である。光ディスクは、少なくとも基板上に情報の再生および／または記録・消去を担う情報層を備えている。
【００２７】
上記光ディスク装置では、図２に示すように、光源（図示せず）から出射された光ビーム（入射光）６は、浮上型光学ヘッド１により、光ディスク２の基板に対して情報層側（膜面側）から該光ディスク２の情報層上に集光されるように設定されている。上記光ビーム６の光源には、例えば半導体レーザを用いればよい。
【００２８】
浮上型光学ヘッド１は、板バネ等からなるサスペンション３にスライダ５が取り付けられた構成になっている。スライダ５には光ディスク２に光ビーム６を集光させる対物レンズ４が形成されている。また、浮上型光学ヘッド１は、光ディスク２が所定の線速（例えば５ｍ／ｓ）で回転することによる浮上圧によって、光ディスク２に対して一定の距離で浮上する。このため光ディスク２の線速が一定であれば、浮上型光学ヘッド１の浮上量も一定になる。そこで、予め光ビーム（入射光）６の焦点が光ディスク２の情報層に結ばれるように、浮上量が設定されている。また、別途フォーカス機能を設けていても良い。
【００２９】
なお、光ディスク２は、特に限定されるものではなく、再生専用型、ライトワンス型および記録再生型といったいずれのタイプでも良い。
【００３０】
図１は、図２で示した光ディスク装置における浮上型光学ヘッド１の構成をより具体的に示した模式図である。図１に示すように、本実施の形態にかかる浮上型光学ヘッド１は、図示しない光ディスクと対向面において、順に、コート層７および保護層（第１保護層）８を有している構成である。なお、入射光は、図１の上部（コート層７および保護層８が形成されていない面側）から照射される。
【００３１】
次に、対物レンズ４を有するスライダ５に、コート層７および保護層８を形成方法について説明する。通常、浮上型光学ヘッドは一度に多数個取り出せるように、通常１枚の基板上に複数作製し、切り出すことにより製造される。このため、基板上に対物レンズ４を有するスライダ５を複数個作製した後、コート層７、保護層８を塗布して形成し、これらを個々に切り出すことにより製造する。上記基板の材質としては、ガラス、樹脂等であることが好ましい。
【００３２】
まず、対物レンズ４を有するスライダ５に対してコート層７を形成する（コート層形成工程）。このコート層形成工程では、まず、上記対物レンズ４を有するスライダ５上に樹脂を塗布し、硬化させることにより形成する。上記光ディスク装置では、対物レンズ４により光ディスク２の情報層に集光されるように設計されているが、コート層７をあまり厚く塗布すると、本来の情報層に当たる光の強度より弱くなってしまう。つまり、コート層７があまり厚すぎると対物レンズ４によるレーザ光の集光特性に影響がでる恐れがある。上記コート層７をおおよそ３μｍとすれば、１０％程度強度が劣化してしまう。上記光ディスク２の情報層に届く光の強度がほとんど劣化しないコート層７の膜厚は、１μｍ以下である。したがって、このコート層７の厚さは、樹脂の種類、性質にもよるが、例えば１μｍ以下であることが好ましい。
【００３３】
また、上記樹脂の塗布方法としては、特に限定されるものではないが、スピンコート法を用いることができる。さらに、スピンコート法を用いる場合には、上記樹脂の粘度は、３０〜１００ｃｐｓ、好ましくは５０ｃｐｓ程度であることが好ましく、スピンコート時の回転数によってコート層７の膜厚を制御することができる。なお、上記樹脂としては、特に限定されるものではないが、例えば、アクリル系ＵＶ硬化樹脂が挙げられる。上記アクリル系ＵＶ硬化樹脂は、塗布後、紫外線を照射することにより硬化させることができ、その取り扱いやすさから好ましい。また、上記アクリル系ＵＶ硬化樹脂は、ビッカース硬度で２０〜３０の硬さが得られるものが好ましく、この硬度であれば、光ディスクと浮上型光学ヘッドとの接触による傷を防止に効果がある。
【００３４】
続いて、上記コート層７上に、保護層８を形成する（保護層形成工程）。この保護層形成工程では、上記コート層７を形成するのと同様に、コート層７上に樹脂を塗布し、硬化させることにより形成する。また、上記樹脂の塗布方法としては、特に限定されるものではないが、スピンコート法を用いることができる。さらに、スピンコート法を用いる場合には、上記樹脂の粘度は、１〜１０ｃｐｓ、好ましくは５ｃｐｓ程度であることが好ましく、スピンコート時の回転数によって保護層８の膜厚を制御することができる。上記樹脂としては、特に限定されるものではないが、例えば、硬質性ＵＶ硬化樹脂が挙げられる。特に、上記硬質性ＵＶ硬化樹脂は、ビッカース硬度５０以上の硬さが得られるものが好ましく、この硬度以上であれば、光ディスクと浮上型光学ヘッドとの接触による傷を防止することができる。また、上記樹脂に、Ｓｉオイル系樹脂を混合してもよい。このＳｉオイル系樹脂を混合して硬化することにより潤滑性を改善することができ、光ディスクと浮上型光学ヘッドとの接触による傷をより一層防止することができる。
【００３５】
上記保護層８の厚さは、コート層７と同様に、あまり厚すぎると対物レンズ４によるレーザ光の集光特性に影響がでるため、樹脂の種類、性質にもよるが、例えば、６ｎｍ以下が良く、１ｎｍ以上、６ｎｍ以下が望ましい。また、上記保護層８は、上記の硬度を得るために、有る程度の厚さが必要であり、少なくとも１ｎｍ以上の厚さであることが好ましい。また保護層８の厚さは、６ｎｍ以上であれば、硬度はほとんど同じになる。従って、上記保護層８の厚さは、１ｎｍ以上、６ｎｍ以下が望ましい。
【００３６】
最後に、コート層７および保護層８を形成した基板を、１個１個切り出すことにより、浮上型光学ヘッドを作製する。
【００３７】
以上のように、本実施の形態では、浮上型光学ヘッド１の光ディスク２と対向する面に、コート層７が形成されている。このコート層７により、浮上型光学ヘッド１における対物レンズ４（光路）に傷がつくことを防止することができる。これにより、浮上型光学ヘッド１の光学特性が低下することを防止することができる。また、上記コート層７は、剥離可能であることが好ましい。上記コート層７としては、例えば、アクリル系ＵＶ硬化樹脂を用いた場合には、エタノール、イソプロピルアルコール等のアルコール類などの溶媒に浸漬することよって上記コート層７を剥離することができる。つまり、上記コート層７は、アルコール等の溶媒により浮上型光学ヘッド１の光ディスク２の対向面との密着性を弱めることができ、剥離することができる。このとき、剥離特性を得る上で、基板（スライダ５、対物レンズ４）の材料としては、ガラスが好ましい。これにより、上記コート層７に傷がついて浮上型光学ヘッド１の浮上特性が悪くなった場合であっても、コート層７を剥離して、再びコート層７を形成することによって、表面の傷を無くして浮上型光学ヘッド１の浮上特性を改善することができるため、上記浮上型光学ヘッド１を再使用することができる。
【００３８】
また、保護層８をコート層７上に形成することが好ましい。さらに、この保護層８は、コート層７よりも硬度が高いことが好ましい。上記コート層７は、浮上型光学ヘッド１における光ディスク２との対向面における剥離可能であるという特性を重視しているため、その硬度を高くすることが困難である。したがって、このコート層７だけでは、浮上型光学ヘッド１における、光ディスク２との接触による損傷を防止しきれない場合がある。そこで、上記保護層８をコート層７上に形成することにより、浮上型光学ヘッド１と光ディスク２との接触による損傷（特に対物レンズ４等の光路における損傷）をより一層防止することができる。また、上記保護層８に傷がついて浮上型光学ヘッド１の浮上特性が悪くなった場合であっても、保護層８は、コート層７上に形成されているため、コート層７を剥離するのと同時に保護層８も剥離することができる。さらに、たとえコート層７、保護層８に傷がついたとしても、該コート層７、保護層８を剥離し、再びコート層７、保護層８を形成することにより、浮上型光学ヘッド１の浮上特性を改善することができるため、浮上型光学ヘッド１を再利用することができる。
【００３９】
〔実施の形態２〕
本発明に係る浮上型光学ヘッドの別の実施の形態について、図３に基づいて説明すれば、以下の通りである。なお、本実施形態に係る浮上型光学ヘッド１０は、上記実施の形態１において説明した図２に示す光ディスク装置に使用することができる浮上型光学ヘッドとなっている。
【００４０】
図３に示すように、本実施の形態にかかる浮上型光学ヘッド１０は、浮上型光学ヘッド１０における光ディスク２との対向面に、順に、保護層８、コート層７が形成されている構成である。
【００４１】
上記浮上型光学ヘッド１０は、実施の形態１で示したコート層７および保護層８の作製順を反対にすることにより作製することができる。
【００４２】
以上のように、本実施の形態では、浮上型光学ヘッド１０における光ディスク２と対向する面に、順に、保護層８、コート層７が形成されている。このコート層７により、浮上型光学ヘッド１０における対物レンズ４（光路）に傷がつくことを防止することができる。これにより、浮上型光学ヘッド１０の光学特性が低下することを防止することができる。また、保護層８を浮上型光学ヘッド１０の対向面とコート層７との間に設けているため、より一層対物レンズ４（光路）に傷がつくことを防止することができる。
【００４３】
さらに、上記保護層８と基板との密着性は、アルコールに対して強いため、アルコールを用いてコート層７を剥離した場合においても基板から剥離されることがない。したがって、コート層７の剥離作業中および剥離後に浮上型光学ヘッド１０の対物レンズ４（光路）が剥き出しにならないので、浮上型光学ヘッド２０の光ディスクとの対向面の保護を強固にすることができる。その上、光ディスク２が傷つくことを防止することができる。
【００４４】
さらに、コート層７、保護層８に傷がついたとしても、コート層７を剥離し、再びコート層７を形成することにより、表面の傷を無くして浮上型光学ヘッド１の浮上特性を改善することができるため、浮上型光学ヘッド１を再利用することができる。
【００４５】
〔実施の形態３〕
本発明に係る浮上型光学ヘッドの別の実施の形態について、図４に基づいて説明すれば、以下の通りである。なお、本実施形態に係る浮上型光学ヘッド２０は、上記実施の形態１において説明した図２に示す光ディスク装置に使用することができる浮上型光学ヘッドとなっている。
【００４６】
図４に示すように、本実施形態にかかる浮上型光学ヘッド２０は、実施の形態１における浮上型光学ヘッド１において、該浮上型光学ヘッド１における対向面と、コート層７との間にカバー層（第２保護層）９を備えている構成である。
【００４７】
上記浮上型光学ヘッド２０は、実施の形態１で示したコート層７および保護層８を形成する前に、カバー層９を、保護層８を形成するのと同様の方法により形成することができる。つまり、カバー層９は保護層８と同様に硬質性ＵＶ硬化樹脂を塗布することによって形成される。この際のカバー層９の膜厚は、光ディスクへの集光特性へ影響しないようにすることが好ましく、樹脂の種類、性質にもよるが、保護層８の膜厚と合わせて好ましくは６ｎｍ以下が良く、１ｎｍ以上、６ｎｍ以下が望ましい。
【００４８】
本実施の形態では、カバー層９を形成することにより実施の形態１および実施の形態２を合わせた効果を有することが出来る。すなわち、新たに硬質性ＵＶ硬化樹脂からなるカバー層９を形成したので、コート層７および保護層８を同時に剥離して効率良く剥離作業が行えるとともに、浮上型光学ヘッド２０の光ディスクとの対向面を強固に保護できる。つまりコート層７と保護層８の剥離後、カバー層９により浮上型光学ヘッド２０の光ディスク２との対向面（対物レンズ４等の光路になる部分）がむき出しにならないので、浮上型光学ヘッド２０の光ディスクとの対向面の保護を強固にすることができる。
【００４９】
また本構成では、実施の形態１の構成において、新たにカバー層９の材料として硬質性ＵＶ硬化樹脂をあげたが、カバー層９の膜厚や材料の種類は特に限定されるものではない。
【００５０】
また、例えば、保護層を形成後、さらに浮上型光学ヘッドが光ディスクと衝突した場合の損傷を軽減するために、摩擦係数の小さい潤滑層を形成することも可能である。
【００５１】
本発明では、光を用いて再生もしくは記録および消去を行う浮上型光学ヘッドにおいて、光ディスクの光入射面側に光入射面への傷を保護する保護層と光入射面の傷を保護しかつ繰り返し剥離、形成出来るコート層を形成する。この構成により浮上型光学へドの光ディスクとの対向面に傷が入った場合でも、保護層とコート層を繰り返し形成できるので、浮上型光学ヘッドを再利用することができる。
【００５２】
また、上記コート層は、アルコール等の溶媒によって剥離できるので、複雑な装置を必要とせず簡単に剥離することが出来る。
【００５３】
また、浮上型光学ヘッドに、上記コート層、上記保護層の順に形成されているので、保護層により光ディスクを保護できるとともに、コート層を剥離と同時に保護層も剥離できるので効率良く剥離作業を行うことが出来る。また、上記保護層の厚さを１〜６ｎｍに制御することにより、レーザ光の光ディスクの集光特性を損なうことがない。
【００５４】
また別の浮上型光学ヘッドの形態では、上記コート層と保護層は、浮上型光学ヘッドに、上記保護層、上記コート層の順に形成されている。これにより、コート層が傷ついて剥離する時に保護層により浮上型光学ヘッドの光ディスクとの対向面がむき出しにならないので、コート層の剥離作業中に浮上型光学ヘッドを保護できるという効果を有する。
【００５５】
また光ディスクに集光する対物レンズを有している浮上型光学ヘッドにおいて、浮上型光学ヘッドに、光ディスクとの接触時による損傷を保護するカバー層、光ディスクとの接触時による損傷を保護しかつ繰り返し剥離、形成出来るコート層および光ディスクとの接触時による損傷を保護する保護層をこの順に有した構成にすることにより、コート層と保護層を同時に剥離できるとともに、剥離中に浮上型光学ヘッドの光ディスクとの対向面がむき出しにならないので、コート層の剥離作業中に浮上型光学ヘッドを保護できるという効果を有する。
【００５６】
また、上記カバー層の厚さは、上記保護層の厚さと合わせて１〜６ｎｍに制御することにより、レーザ光を光ディスクに正確に集光することが出来る。
【００５７】
また浮上型光学ヘッドの光ディスクと対向する面に、少なくとも光ディスクとの接触時による損傷を保護する保護層および光ディスクとの接触時による損傷を保護しかつ繰り返し剥離、形成出来るコート層を形成することによって、浮上型光学ヘッドを繰り返し使用することができる。
【００５８】
【実施例】
（実施例１）
以下、実施の形態１にかかる浮上型光学ヘッド１について、具体的な実施例により詳細に説明する。
【００５９】
上記の方法により作製された浮上型光学ヘッドについて、まず浮上安定性を調べた。
【００６０】
図２に示した光ディスク装置において、所定線速の５ｍ／ｓで光ディスク２を回転させて、作製した浮上型光学ヘッド１を１時間浮上させた。その後、浮上型光学ヘッドにおける光ディスクとの対向面（保護層８）における傷を確認したが、特に傷は確認されなかった。
【００６１】
次に浮上型光学ヘッドの保護層８の表面にわざと光ディスク２に達しない程度のこすり傷をつけ、再度所定線速の５ｍ／ｓで光ディスク２を回転させて、浮上型光学ヘッド１の浮上を試みたが、安定に浮上させることが出来ず、光ディスク２にも傷をつけてしまった。つまり、保護層８に傷がある場合には、所定の浮上特性を得ることができなかった。
【００６２】
ここで、こすり傷のついている浮上型光学ヘッドにおけるコート層７および保護層８の部分をエタノール中に浸漬させしばらく放置し、コート層７および保護層８を剥離した。保護層８はコート層７上に形成されているので、コート層７を剥離することによって同時に剥離することが出来た。また剥離時にイソプロピルアルコールを利用しても同様に剥離することができた。
【００６３】
剥離後、光ディスクとの対向面を観察し表面の汚れや傷をチェックしたところ、特に汚れや傷は見られなかった。
【００６４】
次に、光ディスクとの対向面に、上記の方法にて、再度コート層７および保護層８を再度ディッピングにより塗布して形成した。すなわち、コート層７は、浮上型光学ヘッドの光ディスクとの対向面をアクリル系ＵＶ硬化樹脂の入った槽内に浸して塗布し、紫外線を照射し硬化することによって形成した。コート層７を形成後、続けて保護層８を硬質性ＵＶ硬化樹脂の入った槽内に浸して塗布し、紫外線を照射し硬化することによって形成した。
【００６５】
コート層７および保護層８を形成した後、新しいディスクを所定線速（５ｍ／ｓ）で回転させて、浮上型光学ヘッドを１時間浮上させたところ、安定した浮上特性が得られた。ここで一度浮上型光学ヘッドの保護層表面および光ディスク表面を観察したが、特に傷などはなかった。このため再度２時間程度浮上型光学ヘッド１を浮上させ、安定に浮上していることを確認した。
【００６６】
（実施例２）
以下、実施の形態２にかかる上記浮上型光学ヘッド１０について、具体的な実施例により詳細に説明する。
【００６７】
まず、上記浮上型光学ヘッド１０の浮上安定性を調べた。
【００６８】
上記浮上型光学ヘッド１０について、実施例１と同様に浮上安定性を確認した。その後、浮上型光学ヘッド１０における光ディスクとの対向面（コート層７）における傷を確認したが、特に傷は確認されなかった。
【００６９】
次いで、コート層７の表面に保護層８に達しない程度のこすり傷をつけ、所定線速の５ｍ／ｓで光ディスク２を回転させて、浮上型光学ヘッド１０の浮上を試みたが、安定に浮上させることが出来ず、光ディスク２にも傷をつけてしまった。つまり、コート層７に傷がある場合には、所定の浮上特性を得ることができなかった。
【００７０】
ここで、こすり傷のついている浮上型光学ヘッドのコート層７の部分をエタノール中に浸漬させしばらく放置し、コート層７を剥離した。なお、保護層８は剥離しなかった。
【００７１】
上記コート層７の剥離後、保護層８の表面を観察し表面の汚れや傷をチェックしたところ、特に汚れや傷はなかった。次に、浮上型光学ヘッドにおける光ディスクとの対向面、すなわち保護層８上にコート層７を再度ディッピングにより塗布して形成した。すなわち、コート層７をアクリル系ＵＶ硬化樹脂の入った槽内に浸して塗布し、紫外線を照射し硬化することによって形成した。
【００７２】
コート層７の形成後、新しい光ディスク２を所定線速（５ｍ／ｓ）で回転させて、浮上型光学ヘッド１０を１時間浮上させたところ、安定した浮上特性が得られた。ここで一度浮上型光学ヘッド１０のコート層７の表面および光ディスク表面を観察したが、特に傷などはなかった。このため再度２時間程度浮上型光学ヘッド１０を浮上させ、安定に浮上していることを確認した。
【００７３】
（実施例３）
以下、実施の形態３にかかる上記浮上型光学ヘッド２０について、具体的な実施例により詳細に説明する。
【００７４】
まず、上記浮上型光学ヘッド２０の浮上安定性を調べた。
【００７５】
上記浮上型光学ヘッド２０について、実施例１、２と同様に浮上安定性を確認した。その後、浮上型光学ヘッド１０における光ディスクとの対向面（コート層７）における傷を確認したが、特に傷は確認されなかった。
【００７６】
次いで、カバー層９に達しない程度のこすり傷をつけ、再度所定線速の５ｍ／ｓで光ディスク２を回転させて、浮上型光学ヘッド２０の浮上を試みたが、安定に浮上させることが出来ず、光ディスクにも傷をつけてしまった。つまり、カバー層９に傷がある場合には、所定の浮上特性を得ることができなかった。
【００７７】
ここで、こすり傷のついている浮上型光学ヘッド２０のコート層７および保護層８の部分をエタノール中に浸漬させしばらく放置し、コート層７および保護層８を剥離した。実施例１と同様に保護層８はコート層７上に形成されているので、コート層７を剥離することによって同時に剥離することが出来た。なお、カバー層９は剥離しなかった。
【００７８】
コート層７および保護層８の剥離後、カバー層９の表面を観察し汚れや傷をチェックしたところ、特に汚れや傷はなかった。次に、実施例１と同様に再度コート層７および保護層８を再度ディッピングにより塗布して形成した。
【００７９】
再度コート層７および保護層８の形成後、新しい光ディスク２を所定線速（５ｍ／ｓ）で回転させて、浮上型光学ヘッド２０を１時間浮上させたところ、安定した浮上特性が得られた。ここで一度浮上型光学ヘッド２０の保護層８の表面および光ディスク２表面を観察したが、特に傷などは見られなかった。このため再度２時間程度浮上型光学ヘッド２０を浮上させ、安定に浮上していることを確認した。
【００８０】
【発明の効果】
本発明の浮上型光学ヘッドは、以上のように、光記録媒体と対向する対向面に、剥離可能なコート層を備えている構成である。
【００８１】
上記の構成によれば、上記コート層により、光記録媒体との接触による浮上型光学ヘッドの損傷を防止することができるとともに、たとえコート層に傷がついたとしても、上記コート層を剥がすことより、上記傷による浮上型光学ヘッドの浮上特性を改善することができ、上記浮上型光学ヘッドを再利用することができるという効果を奏する。
【００８２】
また、上記コート層は、アクリル系ＵＶ硬化樹脂からなることが好ましい。これにより、コート層をアルコール等の溶媒によって容易に剥離することができる。さらに、上記コート層を剥離した場合には、再び容易にコート層を形成することができる。したがって、浮上型光学ヘッド浮上特性を改善することができるとともに、上記浮上型光学ヘッドを繰り返し再利用することができるという効果を奏する。
【００８３】
さらに、本発明の浮上型光学ヘッドは、上記の構成に加えて、上記コート層上に、第１保護層を有することが好ましい。これにより、より一層浮上型光学ヘッドにおける光路の部分の損傷を防止することができる。また、コート層を剥離することにより、
また、コート層と、上記対向面との間に第１保護層を備えていることが好ましい。
【００８４】
上記の構成によれば、第１保護層を有することにより、より一層浮上型光学ヘッドにおける光路の部分の損傷を防止することができる。また、第１保護層を浮上型光学ヘッドから剥離されない材質で形成することにより、該第１保護層によりコート層の剥離作業中および剥離後に浮上型光学ヘッドの光路部分が剥き出しならないので、浮上型光学ヘッドの光路部分を保護することができるとともに、光記録媒体の損傷も防止することができるという効果を奏する。さらに、コート層を再び形成することにより、浮上特性が改善され、損傷を防止することができる浮上型光学ヘッドとして繰り返し再利用することができるという効果を奏する。
【００８５】
また、上記第１保護層の厚さを１〜６ｎｍに制御することにより、レーザ光の光ディスクへの集光特性を損なうことがない。
【００８６】
さらに、本発明の浮上型光学ヘッドは、上記対向面と、コート層との間に第２保護層を備えていることが好ましい。
【００８７】
上記の構成によれば、第２保護層を有することにより、より一層浮上型光学ヘッドにおける光路の部分の損傷を防止することができるという効果を奏する。また、第２保護層を浮上型光学ヘッドから剥離されない材質で形成することにより、該第２保護層によりコート層および第１保護層の剥離作業中および剥離後に浮上型光学ヘッドの光路部分が剥き出しならないので、光記録媒体の損傷も防止することができるという効果を併せて奏する。さらに、コート層および第１保護層を再び形成することにより、浮上特性が改善され、損傷を防止することができる浮上型光学ヘッドとして繰り返し再利用することができるという効果を奏する。
【００８８】
また、上記第１保護層と第２保護層とを合わせた膜厚は、１ｎｍ以上、６ｎｍ以下であることが好ましい。上記の膜厚にすることにより、浮上型光学ヘッドの光記録媒体への集光特性へ影響しないようにすることができる。
【００８９】
本発明の光記録再生装置は、上記の浮上型光学ヘッドを備えている構成である。上記の構成によれば、浮上型光学ヘッドを繰り返し使用することができるため、長時間使用可能な光記録再生装置を提供することができるという効果を奏する。
【図面の簡単な説明】
【図１】本発明の一実施形態に係る浮上型光学ヘッドの要部の断面図である。
【図２】上記浮上型光学ヘッドを用いた光ディスク装置を示す要部の断面図である。
【図３】本発明の他の実施形態に係る浮上型光学ヘッドの要部の断面図である。
【図４】本発明のさらに他の実施形態に係る浮上型光学ヘッドの要部の断面図である。
【図５】従来の浮上型光学ヘッドを用いた光ディスク装置を示す要部の断面図である。
【符号の説明】
１，１０，２０  浮上型光学ヘッド
２    光ディスク（光記録媒体）
３    サスペンション
４    対物レンズ
５    スライダ
６    光ビーム
７    コート層
８    保護層（第１保護層）
９    カバー層（第２保護層）
【図１】
2004280952.tif 000003
【図２】
2004280952.tif 000004
【図３】
2004280952.tif 000005
【図４】
2004280952.tif 000006
【図５】
2004280952.tif 000007